(57)【要約】  支持台（１）；垂直方向に変位させる能力を有し、かつ、操作駆動要素（３２、２２）に結合される可動ヘッドボード（３）および可動フットボード（２）；サイドレール（４１）および端部横材（４２）を備えたフレーム（４）；縦軸（Ｘ）に対して回転させ、かつ、横軸（Ｙ）に対して回転させるために縦方向において変位させる能力を有する、可動フットボード（２）にフレーム（４）を取り付けるための第１の機構（５）；ならびに、縦軸Ｘ’に対して回転させる能力、および横軸Ｙ’に対して回転させる能力を有する、可動ヘッドボード（３）にフレーム（４）を取り付けるための第２の機構（６）を含む、可動フレーム付きベッドが提供される。【選択図】図１
2019507611.tif 000002
【特許請求の範囲】
【請求項１】
支持台（１）を備え、該支持台（１）に、ヘッドボード、フットボード、および、マットレス台およびマットレスを支持するためのフレーム（４）が装着される、可動フレーム付きベッドであって、
垂直方向に変位させる能力を有して前記支持台（１）に装着され、かつ、操作駆動要素（３２）に結合される可動ヘッドボード（３）と、
垂直方向に変位させる能力を有して前記支持台（１）に装着され、かつ、操作駆動要素（２２）に結合される可動フットボード（２）と、
前記可動ヘッドボード（３）と前記可動フットボード（２）との間に配置される、サイドレール（４１）および端部横材（４２）を備えたフレーム（４）と、
縦軸（Ｘ）に対して回転させ、かつ、横軸（Ｙ）に対して回転させる、縦方向において前記フレーム（４）を変位させる能力を有する、前記可動フットボード（２）に前記フレーム（４）を取り付けるための第１の機構（５）と、
縦軸Ｘ’に対して回転させる能力、および横軸Ｙ’に対して回転させる能力を有する、前記可動ヘッドボード（３）に前記フレーム（４）を取り付けるための第２の機構（６）であって、前記縦軸Ｘ’に対する前記フレームの回転を制御するための手動または自動制御装置によって動作させる少なくとも１つのアクチュエータ機構（６６）を含み、前記駆動要素（２２）、前記駆動要素（３２）、および前記アクチュエータ機構（６６）は独立して動作される、第２の機構（６）と、を含むことを特徴とする、ベッド。
【請求項２】
前記可動ヘッドボード（３）および前記可動フットボード（２）は、前記支持台（１）に固定された各垂直柱（３１、２１）に沿って変位させる能力を備え、かつ、機械的、電気的、空気圧式、または油圧式手段によって独立して動作可能である垂直方向操作駆動要素（２２、３２）に結合され、前記フットボードに向かって傾斜させる位置、または前記ヘッドボードに向かって傾斜させる位置において、前記フレーム（４）が水平位置に配置される可変の高さで前記ヘッドボードおよび前記フットボードを配置すること特徴とする、請求項１に記載のベッド。
【請求項３】
取り付け用の前記第１の機構は、前記フレーム（４）の端部のうちの１つに伸縮自在に装着され、前記フットボード（２）に対する前記フレーム（４）の回転の縦方向変位案内および縦軸Ｘを形成するロッド（５１）を備え、該ロッド（５１）は、前記フレームから突出する一端部上に、前記可動フットボード（２）に対する前記フレーム（４）の前記回転横軸（Ｙ）を形成するボルト（２４）によって前記フットボード（２）に固定されるヘッド（５４）を有することを特徴とする、請求項１に記載のベッド。
【請求項４】
前記第２の機構は、前記可動ヘッドボード（３）に関連付けられたロッド（６２）を設け、前記回転軸Ｘ’を形成する回転部（６１）と、前記ロッド（６２）に面し、かつ、前記回転横軸Ｙ’を形成するピン（６４）によって前記回転部（６１）に固定されるブロック（６３）と、前記回転部（６１）の側端部上で、前記軸Ｘ’に対する回転を引き起こすように作用する前記可動ヘッドボードに装着される少なくとも１つのアクチュエータと、を備えることを特徴とする、請求項１に記載のベッド。
【請求項５】
前記フレーム（４）の前記水平位置において、前記回転軸ＸおよびＸ’は前記縦方向に配列されることを特徴とする、請求項１〜４のうちいずれか一項に記載のベッド。
【発明の詳細な説明】
【技術分野】
【０００１】
本発明の目的は、患者の体位が、患者の回復において非常に重要な役割を果たし、かつ、回復／治療中に生じる恐れがある合併症を回避するため、患者の体位を優先する技術特性を有するベッドである。
【０００２】
該ベッドは、住居への導入の際、モジュールで分解でき、かつ、人および動物に対して安全な設計が施されている可動フレームを有する。
【０００３】
横方向傾斜上昇用モータは、障害を引き起こす可能性のある危険要因である。この理由のため、該モータは、ヘッドボード−フットボードの内側にあり、このことは、フレームが縦方向に傾斜するように変化させるのと同時に、肌を挟むことを回避するようにフレームの全表面の向きを変える、フレームの手動または自動制御運動を可能にすることを目的とする特性を提示する。
【背景技術】
【０００４】
現在、病院での使用専用のさまざまなタイプのベッドが知られている。該ベッドは、一般的に、回転させるための車輪を備えた支持台を有し、この支持台には、ヘッドボード、フットボード、および、マットレス台およびマットレスを支持するフレームが装着されている。
【０００５】
ベッドのヘッドボードに向かって縦方向にフレームを傾斜させることで、ユーザの脚を頭より高くして、トレンデレンブルグ体位を採用すること、または、ベッドのフットボードに向かって縦方向に上記フレームを傾斜させることで、頭をユーザの脚より高くして、先述とは反対の体位、すなわち、逆トレンデレンブルグを採用することを可能にするベッドが知られている。
【０００６】
トレンデレンブルグ体位は、ある特定の手術を行うこと、体位ドレナージおよび静脈還流を助長すること、および脳血流を助長することに適している。トレンデレンブルグ体位の名称は、上記体位の使用を始めた、ドイツの外科医、フリードリッヒ・トレンデレンブルグに因んだものである。
【０００７】
現在、患者を、トレンデレンブルグ体位およびその反対の（逆トレンデレンブルグ）体位に位置付けることができるさまざまなベッドが知られているが、これらのベッドは非常に複雑な構造を有し、製造費が高く、個人の住居への移送は不可能であるか困難である。このタイプのベッドは特許文献１に記載されている。
【０００８】
特許文献２に記載されるものなどの他のベッドは、これらの体位を実現するために必要な運動を行うことを可能にする構造を有するが、患者、特に大人またはある特定の体重を上回る患者の運動を保証することができる堅固な構造を有さない。患者の体重はベッド構造の縁端部によって支持されるため、横方向運動において破損の危険性が一層大きくなる。
【０００９】
また、特許文献３に記載されるような、分解できる連接式ベッド、または、特許文献４に記載されるような、部分的に分解できるベッドがあるが、これらベッドでは、フレームの運動が限定されている。
【００１０】
本発明に最も近い文献はベッドに関する特許文献５である。該ベッドは、固定されたヘッドボードおよびフットボードを備え、短軸によってマットレス台が装着され、このマットレス台は、マットレス台の下のモータが動作する時横方向に回転でき、また、対応する固定されたベッドヘッドに対してマットレス台の端部のうちの１つを上昇させるための手段を有する。
【００１１】
この構成によって、このベッドは、フットボードの方へマットレス台を傾斜させることができ、患者は、トレンデレンブルグ体位、または、ユーザの向きを変える横方向回転を容易にするための横方向傾斜を採用することができる。
【００１２】
しかしながら、この先行技術は、トレンデレンブルグ体位とは反対の体位を採用することができず、横方向回転に耐える強度が低減しているため、いくらか人間工学的に限定されている。
【００１３】
特許文献６に記載されるＬｉｎｅｔ社の横方向傾斜ベッドは、マットレス台の真下に、車輪付き台に取り付けられた３つの伸縮柱を有する集中治療用ベッドである。
【００１４】
Ｈｉｌｌ−Ｒｏｍなどの他の製造業者は、４つの柱を有するベッドを使用する。
【００１５】
双方のモデルは、それらの容積および重量によって住居へ導入できず、容易に分解されず、家族環境に対して安全な設計ではなく、製造費が非常に高いことによる欠点を有する。
【００１６】
これらのベッドは、多様な横方向傾斜運動、トレンデレンブルグ体位、および伸縮柱による上昇を行うが、これによって、ベッドを自動的にプログラミングする時の運動を限定させることになる。
【００１７】
特許文献７および特許文献８に記載されるような他の横方向傾斜ベッドは、２つの可動部および１つの固定中央部に縦方向に分割させたマットレス台を有する。これらのベッドの欠点は、これらベッドが本のように閉じられる時、ユーザの肌を挟んでしまう状況を引き起こし、床擦れといった望ましくない影響をもたらす。製造が複雑かつ高額であるこれらのベッドは、分解できないし、家族環境にとって適した設計とは言えない。
【００１８】
これらのベッドは、頭部平面および脚部平面の上昇が行えず、運動の自由度が限定され、横方向運動は、既知のベッドなどの場合中間から行われるため、特にベッドを縦方向に傾斜させ、横方向に傾斜させる必要がある時、移動度が限定される。
【先行技術文献】
【特許文献】
【００１９】
【特許文献１】米国特許第３９５８２８３号明細書
【特許文献２】欧州特許出願公開第１４８６１９１号明細書
【特許文献３】米国特許第４９７０７３７号明細書
【特許文献４】米国特許第４１３９９１７号明細書
【特許文献５】中国特許出願公開第１０４１６１６３３号明細書
【特許文献６】チェコ特許第２０１００７０７号明細書
【特許文献７】中国実用新案第２０４０１６６９７号明細書
【特許文献８】仏国実用新案証公開第２７００９４９号明細書
【発明の概要】
【発明が解決しようとする課題】
【００２０】
本発明の目的である可動ベッドフレームは、容易な装着および分解を可能にして、どちらの場合にも患者の住居または設置箇所への運送を容易にすることを目的とした構造的特殊性を有する。
【課題を解決するための手段】
【００２１】
本発明のベッドは、可動ヘッドボードおよびフットボードを有し、これらは、垂直方向に変位させる能力を有する支持台に装着され、かつ、操作駆動要素に結合され、それによって、可動ヘッドボードと可動フットボードとの間に配置されるベッドフレームは、フットボードまたはヘッドボードを上昇させることによってそれぞれヘッドボードに向かってまたはフットボードに向かって縦方向に傾斜させることができる。
【００２２】
さらに、ベッドは、可動フットボードおよび可動ヘッドボードにフレームを取り付けるための機構を有する。該機構は、いずれの方向においても縦方向での傾斜運動の他に、手動または自動制御によって駆動可能なアクチュエータの動作によって上記フレームの横方向回転を可能にし、かつ、ベッドの一方の側から他の側へのフレームの回転を制御している。
【００２３】
フレームを可動フットボードおよび可動ヘッドボードに取り付けるためのこれらの機構は、上記ヘッドボードおよびフットボードに対するフレーム全体の横方向回転の縦軸を画定する。
【００２４】
本明細書において、ヘッドボードおよびフットボードは、本発明の理解を容易にするために取り上げられているが、本発明の本質を変更しないように、ヘッドボードはフットボードと解釈される可能性もあり、その逆も同様であることは留意されるべきである。
【００２５】
ヘッドボードおよびフットボードを垂直方向に移動させることを担う駆動要素は、それぞれから独立しており、また、フレームの横方向回転を制御することを担うアクチュエータから独立している。フレームをヘッドボードおよびフットボードに取り付けるための機構は、上記フレームが水平である、または、ヘッドボードに向かってまたはフットボードに向かって縦方向に傾斜させられているかどうかにかかわらず、横方向に回転できることを可能にする。
【００２６】
従って、ヘッドボードおよびフットボードは、完全に自由に垂直方向に運動する。ヘッドボードの上記運動は独立しているが、フレームの横方向傾斜運動と両立できる。この特性はまた、医学的な理由で推奨されない時に横方向傾斜運動を無効にすることが可能である。
【００２７】
患者を挟んでしまうようなことになる危険性を伴うような、患者を横方向に位置付けるためにフレームの半分を移動させる他のベッドとは違って、本発明では、水平軸上でのフレーム全体の横方向傾斜がなされる。
【００２８】
フレームをヘッドボードまたはフットボードに接続する機構のうちの１つは、フレームの対応する端部に伸縮自在に装着されるロッドを備え、それによって、フレームの傾斜が縦方向において変動する時にフットボードとヘッドボードとの間の決められた距離を変更せずに維持し、かつ、この変位におけるフレーム構造の応力を回避することが可能になる。
【００２９】
本発明のこれらのおよび他の特性は、添付の図に示される例示の実施形態を考慮してより良く理解されるであろう。
【００３０】
行われている説明を補足するために、本発明の特性の理解を容易にする目的で、本明細書には図面一式が添付されており、これら図面には、非限定的な例として、以下が表されている。
【図面の簡単な説明】
【００３１】
【図１】本発明による可動フレーム付きベッドの実施形態であって、フレームが水平位置に示される実施形態の立面図である。
【図２】図１におけるベッドの上面図である。
【図３】ベッドのフットボードへのフレームの第１の取り付け装置の立面図である。
【図４】部分的に区分された、ベッドのフットボードへのフレームの第１の取り付け装置の平面図である。
【図５】フレームをベッドの可動ヘッドボードに取り付けるための第２のフレーム機構であって、水平位置で、すなわち横方向に傾斜させずに示される該第２の機構の正面図である。
【図６】フレームをベッドのヘッドボードに取り付けるための第２の機構が１つの側へ傾斜させて示される、前述のものと同様の図である。
【図７】相対する方向において、縦方向に傾斜させたフレームを有する図１のベッドの立面図である。
【図８】相対する方向において、縦方向に傾斜させたフレームを有する図１のベッドの立面図である。
【発明を実施するための形態】
【００３２】
図１に示される例示の実施形態では、可動フレーム付きベッドは、車輪（１１）を備えた支持台（１）と共に、上記台（１）に装着された可動ヘッドボード（３）および可動フットボード（２）を含む。
【００３３】
可動ヘッドボード（３）および可動フットボード（２）には、支持台（１）に取り付けられた各垂直柱（３１、２１）に沿って変位させる能力が備わっている。この例示の実施形態において、垂直柱（２１、３１）の各対に装着されたヘッドボードおよびフットボードが示されるが、単一の垂直柱上でのそれぞれ１つの組み立ては除外されることは留意されるべきである。
【００３４】
フットボード（２）およびヘッドボード（３）は、独立して動作可能であり、かつ、図３および図５においてそれぞれ可視である電気駆動シリンダによって具体的に表される垂直方向操作駆動要素（２２、３２）に結合される。
【００３５】
ベッドは、図４において言及されるサイドレール（４１）および端部横材（４２）を備えたフレーム（４）を含む。上記フレーム（４）は、可動ヘッドボード（３）と可動フットボード（２）との間に配置される。ベッドは、図１において言及される縦軸（Ｘ）に対して回転させ、かつ、図２に示される横軸（Ｙ）に対して回転させる能力を有する可動フットボード（２）にフレーム（４）を取り付けるための第１の機構（５）を備える。
【００３６】
このベッドは、図１において言及される縦軸（Ｘ’）に対して回転させる能力と、図２に示される横軸（Ｙ’）に対して回転させる能力とを有する、可動ヘッドボード（３）にフレーム（４）を取り付けるための第２の機構（６）を含む。
【００３７】
フレーム（４）は、前述の図１および図２に示されるフレーム（４）上でのマットレス台の組み立てのための任意のタイプのマットレス台（７）用の支持部を構成する。マットレス台（７）は、４つの平面を設けており、そのうちの３つは導体および脚を支持することを目的とし、かつ可動式であり、４つめは尾骨のエリアを支持することを目的とし、かつ固定される。
【００３８】
図３および図４において、フレーム（４）の端部のうちの１つをその中央エリアによってフットボード（２）に取り付けるための第１の機構（５）が示される。
【００３９】
この例示の実施形態において、可動フットボード（２）は、「Ｈ」型構成を特徴とし、この構成において、垂直方向駆動操作要素（２２）は垂直方向に作用する。
【００４０】
第１の機構（５）は、フレーム（４）の対応する端部に伸縮自在に装着されるロッド（５１）を備える。上記ロッド（５１）は、フットボード（２）に対するフレーム（４）の回転の縦方向滑り案内および縦軸（Ｘ）を形成する。
【００４１】
ロッド（５１）は、フレーム（４）にしっかりと固定され、かつ、内部にばね（５３）を含有する管（４３）に伸縮自在に装着される。該ばね（５３）は、その端部で管（４３）の一端部の閉鎖ねじ付きキャップ（４３ａ）に対して、および、ロッド（５１）の端部のうちの１つにおいて画定されるピストン（５２）に対して作用する。管（４３）の内部において、減摩性ブシュ（４４）は、縦方向におけるフレーム（４）の傾斜によって引き起こされるロッド（５１）の縦方向変位のために配置される。
【００４２】
このロッド（５１）は、フレーム（４）から突出する一端部上に、可動フットボード（２）の突起部（２３）の間に配置され、かつ、フットボード（２）に対するフレーム（４）の回転横軸（Ｙ）を形成するボルト（２４）によって突起部（２３）に取り付けられるヘッド（５４）を有する。
【００４３】
図２、図５、および図６において、フレーム（４）を可動ヘッドボード（３）に取り付けるための第２の機構（６）を見ることができる。
【００４４】
第２の機構（６）は、可動ヘッドボード（３）に対して回転させる能力を備えたロッド（６２）を設けた回転部（６１）を含み、上記ロッドは回転縦軸（Ｘ’）を形成する。
【００４５】
第２の機構（６）は、回転ロッド（６２）に面し、かつ、取り付け用の第２の機構（６）に対してフレームの回転横軸（Ｙ’）を形成するピン（６４）によって回転部（６１）に固定されるブロック（６３）を含む。
【００４６】
図１および図２においてより明確に見ることができるように、フレーム（４）の対応する端部は、ピン（６５）によって前述のブロック（６３）に取り付けられ、ピン（６５）は、フレーム（４）の対応する端部の中央エリアおよび前述のブロック（６３）において画定される突起部（４５）を通過する。
【００４７】
第２の機構（６）は少なくとも１つのアクチュエータ機構（６６）を含む。この特定のケースでは、図５および図６に示される２つのアクチュエータ機構（６６）は、図示されない手動または自動制御装置によって同時にかつ相対する方向に作動可能なそれぞれの電気駆動シリンダを使用し、これらのアクチュエータ（６６）は、第２の機構（６）、ひいては、縦軸（Ｘ’）に対するフレーム（４）の回転制御の機能を果たす。
【００４８】
駆動要素（２２）、駆動要素（３２）、およびアクチュエータ機構（６６）は、独立して動作可能である。
【００４９】
図１、図７、および図８において見ることができるように、ヘッドボード（３）およびフットボード（２）を垂直に移動させることを担う駆動要素（２２、３２）を動作させることによって、該要素は、フットボードに向かって傾斜させる位置（図８）、またはヘッドボードに向かって傾斜させる位置（図７）において、フレームが水平位置に配置される（図１）可変の高さで配置できる。
【００５０】
図１において見ることができるように、フレーム（４）の水平位置において、回転縦軸（Ｘ、Ｘ’）は縦方向に配列される。
【００５１】
ヘッドボードまたはフットボードの方へ縦方向におけるフレーム（４）の傾斜に加えて、このベッドは、図６に示されるように、第２の機構（６）によって、可動ヘッドボード（３）に装着されるアクチュエータ（６６）が、回転部（６１）の側端部上で、縦軸（Ｘ’）に対する回転、ひいては、左右のどちらかの方へのフレーム（４）の傾斜を引き起こすように作用できるようにする。
【００５２】
本発明の一実施形態では、フレーム（４）は、床面から約５００ミリメートルの高さに配置され、ベッドから偶発的に落下する場合にユーザが負傷する可能性を最小限に抑える。
【００５３】
最後に、ヘッドボードおよびフットボードが両方とも外側にはめられて、モータ、およびモータに装着される可動部品による、患者または医療従事者の潜在的な干渉を回避することが想定されることは留意されるべきである。
【００５４】
本発明の性質のみならず、好ましい実施形態の例が十分に説明されていることで、添付の特許請求の範囲において特許請求される本発明の基本的な特性の変化を伴わない限り、関連するあらゆる用途に関して、記載される要素の材料、形態、サイズ、および配置が変更可能とされることが述べられている。
【図１】
2019507611.tif 000003
【図２】
2019507611.tif 000004
【図３】
2019507611.tif 000005
【図４】
2019507611.tif 000006
【図５】
2019507611.tif 000007
【図６】
2019507611.tif 000008
【図７】
2019507611.tif 000009
【図８】
2019507611.tif 000010
【国際調査報告】
2019507611.tif 000011
2019507611.tif 000012
2019507611.tif 000013
2019507611.tif 000014